(57)【要約】【課題】大きさの異なる書類や用紙を最小限の大きさで綴じこむことができるとともに、記入、書き込みが必要な際にはスライド体をスライドさせることで容易に記入することを可能とした表紙面積可変型ファイルを提供する。【解決手段】  内側に綴じ具を有し任意サイズの用紙に対応する表紙体と、前記表紙体の表表紙あるいは裏表紙に対応して設けられた板状のスライド体と、前記スライド体が前記表紙体の表紙上をスライドさせるスライド機構とより構成される。【選択図】図１
2013001112.tif 000002
【特許請求の範囲】
【請求項１】
内側に綴じ具を有し任意サイズの用紙に対応する表紙体と、
前記表紙体の表表紙あるいは裏表紙に対応して設けられた板状のスライド体と、
前記スライド体が前記表紙体の表紙上をスライドさせるスライド機構とより構成され、
前記スライド体を前記スライド機構にかかる範囲で移動させることで前記表紙のおよそ面積２倍の用紙に対応できる下敷きとしての機能を表紙に持たせたことを特徴とする表紙面積可変型ファイル。
【請求項２】
前記スライド機構に前記スライド体が前記表紙体から脱落しない位置でストッパーとなるストッパー機構を有することを特徴とする請求項１に記載の表紙面積可変型ファイル。
【発明の詳細な説明】
【技術分野】
【０００１】  本発明は、サイズの異なる用紙に対応して収納並びに書き込みを容易にする表紙面積可変型ファイルに関するものである。
【背景技術】
【０００２】  従来、特許文献１に示すように背表紙の延長体が一方の表紙内でスライドすることで綴じた資料の増加にあわせて背表紙の幅を調整するファイルがあった。【０００３】  特許文献２に示すように、書類を覆う側の表紙が複数の折り線で折り返し固定具で固定することで背表紙幅と表紙の幅を調整するファイルがあった。【０００４】  特許文献３に示すように、基準表紙構成部材と可動表紙構成部材から構成され、可動表紙構成部材を可動させることで用紙のサイズに対応させて表紙のサイズを調整できるファイルがあった。【０００５】  特許文献４に示すように、左右下敷きと補助版を有するバインダーが構造体に沿って縦方向、横方向に移動させることで用紙への記述を容易にするシステムバインダーがあった。
【先行技術文献】
【特許文献】
【０００６】
【特許文献１】  特開平５−６９６９３
【特許文献２】  特開平７−４０６９６
【特許文献３】  特開２００２−２２５４７７
【特許文献４】  特開２００１−２９３９８６
【発明の概要】
【発明が解決しようとする課題】
【０００７】  特許文献１乃至３に関しては、綴じる書類の量が増加した際にその厚みに対応して背表紙の幅を調整することを目的としている。そのため、ファイルの厚さには対応できるが、サイズの異なる書類や用紙に対して表紙を下敷きとして使用できるように調整はできなかった。例えば、Ａ４サイズの書類に対応したサイズの表紙のファイルの場合、表紙はＡ４サイズの下敷きとして対応できるように書類より若干大きなサイズ、形状となっている。このファイルにあって、Ａ３サイズの書類に関しても、二つ折りや三つ折りにすることでファイリングすることは可能である。但し、図面等で書き込む必要性がある書類や用紙をファイリングした際、開いて内容を確認することはできるが、開いた開放側の用紙半面は表紙からはみ出すため、一々ファイルから取り出して記入したり、身近にある本、ノート、板等を下に添えて下敷きの代用として使用し作業を行わなければいけなかった。【０００８】  特許文献４においては、バインダーに綴じこんだ書類、下敷き、補助板ごと移動するために、移動の操作性が悪い、書類を損傷させる恐れがあるなどの問題が生じる。また、その構造上、移動させる際、バインダーの下に突起物などがあった場合、構造部がその突起に引っかかり、バインダーを持ち上げないと操作できない事態が発生する。また、表紙を閉じた場合、表表紙、裏表紙のストッパーが突起状となっているために、他のファイルや書類が並べられた棚にバインダーごと出し入れしようとした場合、突起物がひっかかり、隣接するファイルや書類を手で操作して隙間を作らなければいけなかった。
それ以上に、表紙を開いた状態でなければ構造部の移動は不可能であった。そのため、後述する利用途である日傘等への対応ができなかったり、利用しようとした際に綴じこんだ書類や用紙を損傷させる危険性があった。
本発明は以上の課題を解決するためのものである。
【課題を解決するための手段】
【０００９】  本発明は内側に綴じ具を有し任意サイズの用紙に対応する表紙体と、前記表紙体の表表紙あるいは裏表紙に対応して設けられた板状のスライド体と、前記スライド体が前記表紙体の表紙上をスライドさせるスライド機構とより構成される。【００１０】  また、前記スライド体が前記ガイドレールから脱落しない位置でストッパーとなるストッパー機構を有することを特徴とする。
【発明の効果】
【００１１】  本発明の効果として、Ａ４の書類や用紙を対象としたファイルを例に説明する。表紙はＡ４をカバーする大きさ及び形状であるため、Ａ４を綴じこんだ場合表紙で書類、用紙をカバーする。また、必要に応じて記入が必要な場合は、書類の裏側に位置する表紙が下敷きとしての役割をなし容易に記入できる。
また、Ｂ４やＡ３等の書類、用紙を利用する場合、これを二つ折り、三つ折りすることで書類、用紙を表紙がカバーする状態で綴じこむことができる。また、これらを読む際は書類等の折りを開き利用することで、容易に読むことができる。また更に記入や書き込みが必要な場合にはスライド体をガイドレールに沿って、端部がガイドレールにかかる範囲でスライドさせることで、これら書類や用紙の裏を表紙とスライド体がカバーし下敷きとしての役割を果たすため、容易に記入、書き込みができる。
この際、スライド体がガイドレールにかかった状態で大きなサイズに対応できる。これにより、スライド体と該スライド体が設けられた側の表紙は重なった状態であり、表紙内側に設けられたガイドレールにスライド体の端部がかかっていることで上下ならびに斜め方向のストッパーとして働き記入、書き込みからの力に対しての抑止作用、固定作用が働き、安定性のある作業が可能となる。【００１２】  前記スライド体をスライドさせるにあたり、表紙の開放端部の隙間から容易にスライド体を操作することが可能であるため、一々表表紙と裏表紙を開くことなくスライド体を移動できる。これにより、例えば直射日光が強い外出先での移動に際し、通常のファイルよりも広面積で日差しをさえぎる日傘の代用品としても利用できる。また、表紙が防水性、撥水性であれば緊急時の雨傘代わりとして利用することも可能である。あわせて、軽食時のナプキンの代用としても利用可能である。
これら各使用方法において、一々表紙を開く必要がなく、綴じた状態で操作及び利用ができるためファイルに綴じこんだ書類や用紙などの損傷を防ぎながらの利用が可能となる。【００１３】  スライド体がガイドレールから脱落しないストッパー機能を有することで、確実にスライド体を抑止、固定でき、より安定性を向上させることができる。
本発明は以上の効果をもたらすものである。
【図面の簡単な説明】
【００１４】
【図１】  本発明の第一実施形態の分解斜視図である
【図２】  本発明の第一実施形態の斜視図である
【図３】  本発明の第一実施形態の平面図である
【図４】  本発明の第一実施形態の斜視図である
【図５】  本発明の第一実施形態の平面図である
【図６】  本発明の第一実施形態の要部断面図である
【図７】  本発明の第一実施形態の第一状態を示す使用状態図である
【図８】  本発明の第一実施形態の第二状態を示す使用状態図である
【図９】  本発明の第二実施形態の展開状態説明図である
【図１０】  本発明の第二実施形態の構造部折り曲げ状態説明図である
【図１１】  本発明の第二実施形態の第一状態を示す要部断面図である
【図１２】  本発明の第二実施形態の第二状態を示す要部断面図である
【図１３】  本発明の参考実施形態の斜視使用状態図である
【図１４】  本発明の参考実施形態の斜視使用状態図である
【図１５】  本発明の参考実施形態の斜視使用状態図である
【図１６】  本発明の第三実施形態の斜視図である
【図１７】  本発明の第三実施形態の第一状態を示す使用状態図である
【図１８】  本発明の第三実施形態の第二状態を示す使用状態図である
【発明を実施するための形態】
【００１５】  以下、本発明の第一実施の形態について図１乃至図８を用いて説明する。
図１は本発明の第一実施形態の分解斜視図、図２は本発明の第一実施形態の斜視図、図３は本発明の第一実施形態の平面図、図４は本発明の第一実施形態の斜視図、図５は本発明の第一実施形態の平面図、図６は本発明の第一実施形態の要部断面図、図７は本発明の第一実施形態の第一状態を示す使用状態図、図８は本発明の第一実施形態の第二状態を示す使用状態図である。
以下、本実施形態ではＡ４サイズの書類や用紙に対応したファイルを例に説明する。ファイル本体は背表紙４と、背表紙４の側辺部から表紙折部１１ａを介して延設された裏表紙３、背表紙４の他側辺部から表紙折部１１ｂを介して延設された表表紙５とから構成されている。各表紙は厚紙やＰＰ、ＰＥ、ＰＥＴ等の合成樹脂等、綴じこむ書類や用紙を保護する剛性を有するものである。また、一定以上の力をかけることで若干撓み、力が解除された状態で平板状に復元するものであっても良い。
裏表紙３の背表紙側側部には書類を綴じる綴じ具６が設けられている。この綴じ具に関しては、書類の側片部を綴じる従来使用されるものであれば良い。図には上下に抑え込む構造の綴じ具６となっているが、これに限定されるものではなく、書類の側辺に設けられた複数の孔に対応したリングやベルト状のものであってもよい。また、裏表紙ではなく背表紙に設けられたものであってもよい。
裏表紙３の内側開放側辺部付近には面ファスナーＡ８が設けられている。図において面ファスナーＡは上下方向に関しては中央位置に設けられている。
裏表紙３の内側の上辺部には一方のガイドレール７ａが設けられ、裏表紙３の内側の下辺部には他方のガイドレール７ｂが設けら、対で一つのガイドレール７が構成されスライド機構として作用する。ガイドレールとしては、機能を達成する剛性ならびに形状安定性を有する素材であればよい。
本発明はスライド板９と面ファスナーＢ１０とより構成される板状のスライド体２を具備する。
図示されるスライド板９は、板状方形となっている。この際縦方向のサイズとしては、前記ガイドレール７に沿ってスライドする長さとなっている。また、横方向のサイズとしてはスライド体２を背表紙側に押し込んだ際に全体が裏表紙にカバーされ、また広げた上体においては右側辺部がガイドレールにかかった位置においてＡ４の長手方向倍のサイズであるＡ３の裏面を裏表紙３とスライド体２とによりカバーする大きさのものである。
スライド板９の裏面右側辺部付近には前記面ファスナーＡとで係止することができる面ファスナーＢが設けられている。その位置としては、スライド体２がＡ３に対応した位置にきた際に面ファスナーＡと重なる位置となっている。
材質としては前記表紙と同様のものであればよく
本発明は以上の構成よりなる。
【００１６】  以下、その使用方法について説明する。
スライド体２をセットする際には、スライド体２を撓ませてガイドレール７に取り付ける。
通常のファイルとして使用する際は図２、図３に示すようにスライド体２を押し込み裏表紙からスライド体２が露出しない状態とする。この状態で書類を綴じ込み通常のファイルとして使用する。Ａ４サイズの書類や用紙であれば、綴じ具６に綴じこむことで書類や用紙が表紙によりカバーされる。また、文字などを書き込む際は裏表紙３及びスライド体２が下敷きの役割を果たし、用意に記載することができる。
Ａ３の書類や用紙を利用する際は、図７に示すように綴じ具６で側辺部を綴じ、保管時には書類や二つ折りもしくは三つ折にして全体としてＡ４に近いサイズでファイルにより全体が保護されるようにする。書類や用紙を広げる際には、スライド体２の左側側辺部を操作しファイルから露出するようにガイドレール７に沿ってスライドさせる。この際、表表紙５と裏表紙３の開放端部はガイドレール７の肉厚により若干開放され、スライド体２と表表紙５の間にも隙間が形成される。そのため、ファイルの表表紙を広げることなくスライド体２の側辺部を操作することができる。
図４、図５に示すようにスライドさせＡ３サイズに対応位置にきた際には、面ファスナーＡ８と面ファスナーＢ１０が接触をはじめる。そこから少し移動させると面ファスナー同士が広い位置で接触する。更にガイドレール７により図６に示すようにスライド体２が裏表紙側に抑え込まれる。
これにより面ファスナー同士の係止力が向上しストッパーとして機能しスライド体２の脱落を防止する。
この際、図６に示すように裏表紙３の側辺部とスライド体２の側辺部が重なる。あわせて前述したようにガイドレール７がスライド体２を裏表紙側に抑え込むため、スライド体２と裏表紙３が一体化に近い状態となりスライド体２の固定性、安定性を向上させる。これにより、広げた状態のＡ３の書類や用紙のあて板、下敷きとしての役割を果たす。
Ａ３の書類や用紙をしまう際には保管時と同様に折りたたみ、各表紙により全体がカバーされる状態とする。スライド体３は側辺からファイル中央側に強い力を加えることで面ファスナー同士の係止が解除され、裏表紙から露出しない位置に押し込む。面ファスナー同士の係止が強い場合には、スライド体２や裏表紙３に力を加え面ファスナー位置のスライド体２を撓ませることで係止を解除しやすくなる。
本発明は以上のように使用することができる。
【００１７】  次に本発明がその効果が現れやすい使用状況の例を説明する。
ファイルを棚にしまう際に裏表紙、背表紙、表表紙を閉じると、スライド体２やスライド構造であるガイドレール７が各表紙から露出しないため、他の書類やファイルが収納された狭い空間に本ファイルを出し入れする際に不要な突起で隣接するファイルや書類を損傷させることなくスムーズに出し入れができる。
建築現場などではＡ３サイズなどの大きな図面を利用する。その際、本発明のファイルを使用することでコンパクトサイズでの保管や携帯ができつつ、図面の確認や記載の際にはスライド体２を広げることで正確な図面への記載や書き込みが可能となる。
突然の雨が降った場合、本発明のファイルを利用することで、表紙を広げることなくＡ３サイズの傘としての役割を果たす。この際、ファイルの表紙を開けなくてすむので、書類や用紙が表紙でカバーされ、露出することなく保護された状態での操作が可能である。この目的のためには表紙として防水性の素材であることが望ましい。
また、ナプキンを用意していない大衆レストラン等に於いてＡ３サイズのナプキン代用品として利用することもできる。この際も、書類や用紙はファイルにより保護された状態となっている。
本実施形態においてはストッパー機構として面ファスナーを利用しているが、操作に注意を図ることでストッパー機構がなくてもＡ３サイズの書類の保管や読み、記入などをすることも可能である。
【００１８】  以下、本発明の第二実施の形態について図９乃至図１２を用いて説明する。
図９は本発明の第二実施形態の展開状態説明図、図１０は本発明の第二実施形態の構造部折り曲げ状態説明図、図１１は本発明の第二実施形態の第一状態を示す要部断面図、図１２は本発明の第二実施形態の第二状態を示す要部断面図である。
本発明の実施形態はスライド機構であるガイドレール７及びスライド体２の脱落を防止するストッパー機構であるストッパーを裏表紙３及びスライド板９に一体に形成し、低コストで効率的に製造することを目的としたものである。
ガイドレールは、裏表紙３の上辺と下辺の対向する左右位置に折部を介してガイド側面形成部１５ａ、１５ｂが延設され、さらに折部を介してガイド天面形成部１６ａ、１６ｂが延設されている。
これらを各折部に沿って内側に折り込むことで一対のガイドレールが形成される。
裏表紙左開放側辺部に同様に折部を介してストッパーＡ側面形成部１７が延設され、さらに折部を介してストッパーＡ引っ掛け部１８が延設されている。これらを各折部に沿って内側に折り曲げることで裏表紙側ストッパーＡが形成される。
スライド板９の右開放側辺部に同様に折部を介してストッパーＢ側面形成部１９が延設され、さらに折部を介してストッパーＢ引っ掛け部２０が延設されている。これらを各折部に沿って裏側に折り曲げることで裏表紙側ストッパーＢが形成される。
ストッパーＡ側面形成部１７およびストッパーＢ側面形成部１９に関しては、これを割愛してストッパーＡ引っ掛け部１８およびストッパーＢ引っ掛け部２０を延設することでストッパーとすることも可能である。
本発明は以上の構造よりなる。
【００１９】  本実施形態についての使いかた及び効果は前述第一実施形態とほぼ同様である。ただ、ストッパー機構に関しては図１１に示す状態で脱落防止となる。この際抜け方向に関しては確実に止まり、スライド体２を戻そうとする方向に関しては開放されているため、第一実施形態より戻す操作性が向上する。
あわせて、一体構造とすることで生産コスト及び生産性の向上を実現した。
【００２０】  以下、本発明の参考実施の形態について図１３乃至図１５を用いて説明する。
図１３は本発明の参考実施形態の斜視使用状態図、図１４は本発明の参考実施形態の斜視使用状態図、図１５は本発明の参考実施形態の斜視使用状態図である。
本参考実施形態においては、請求範囲として主張はしないが同様の機能であるが本発明の効果の差異を明確にするためのものである。
本参考実施形態は本発明のスライド体２のあて板や下敷きとしては同様の役割を果たす折り返し体２２が利用されたものである。折り返し体２２の左側辺が裏表紙３の左側辺部と接合辺部で接着や溶接などにより接合されたものである。
その使いかたについて説明する。
保管時、形態、Ａ４書類の使用時には図１３に示すように折り返し体２２を折りたたんでファイル内に収納した状態とする。
Ａ３サイズの書類を開いて使用する際には、図１４に示すように折り返し体２２を開いて利用する。この際、接合辺部２１により重なり固定されるので折り返し体２２の安定性、固定性は本発明の実施形態と同様に得られる。但し、折り返し体２２を開くためにはファイルの表紙を開かなければいけないため、傘、敷物等として利用する際に綴じ込まれた書類や用紙が露出し損傷の恐れが生じる。
また、図１５に示すように折り返し体として裏表紙から延設された折り返し延延長体を利用することも可能である。
この参考実施形態から本発明の作用効果が明確になる。
【００２１】  以下、本発明の第三実施の形態について図１６乃至図１８を用いて説明する。
図１６は本発明の第三実施形態の斜視図、図１７は本発明の第三実施形態の第一状態を示す使用状態図、図１８は本発明の第三実施形態の第二状態を示す使用状態図である。ここで図１７、図１８においては、表紙外側から見た状態となっている。
本実施形態においては、スライド板９は図１６乃至図１８に示すように裏表紙３より縦方向に長く、横方向は押し込んだ状態でスライド板９が綴じ具にあたらない範囲であり開放辺部が裏表紙から露出しない幅長さとなっている。
スライド板９の上下辺部にはそれぞれ上下方向に露出しないようにガイドレール７ａ、７ｂが設けられている。ガイドレールとしては第一実施形態のように別体のものを取り付けてもよいし、第二実施形態のように一体に取り付けたものであってもよい。
裏表紙は、前記ガイドレール７に沿って外れないようにスライド可能な縦方向幅長さとなっている。
また、ストッパーに関しては、前述した各実施形態の構造のもので対応される。
本発明は以上の構造よりなる。
【００２２】  本発明の操作に当たってはスライド体２の左開放端部のみならず、表紙外側に露出したガイドレール７やスライド体上下露出部を利用することが可能である。
【００２３】  上記各実施形態としてＡ４ファイルを例にしているが、これに限定されるものではなく任意のサイズとその倍近いサイズの書類や用紙等に対応したものにも利用される。
【符号の説明】
【００２４】１  ファイル本体、
２  スライド体、
３  裏表紙、
４  背表紙、
５  表表紙、
６  綴じ具、
７；７ａ；７ｂ  ガイドレール、
８  面ファスナーＡ、
９  スライド板、
１０  面ファスナーＢ、
１１；１１ａ；１１ｂ  表紙折部、
１２；１２ａ；１２ｂ  用紙、
１５；１５ａ；１５ｂ  ガイド側面形成部、
１６；１６ａ；１６ｂ  ガイド天面形成部、
１７  ストッパーＡ側面形成部、
１８  ストッパーＡ引っ掛け部、
１９  ストッパーＢ側面形成部、
２０  ストッパーＢ引っ掛け部、
２１  接合辺部、
２２  折り返し体、
２３  折り返し延長体
【図１】
2013001112.tif 000003
【図２】
2013001112.tif 000004
【図３】
2013001112.tif 000005
【図４】
2013001112.tif 000006
【図５】
2013001112.tif 000007
【図６】
2013001112.tif 000008
【図７】
2013001112.tif 000009
【図８】
2013001112.tif 000010
【図９】
2013001112.tif 000011
【図１０】
2013001112.tif 000012
【図１１】
2013001112.tif 000013
【図１２】
2013001112.tif 000014
【図１３】
2013001112.tif 000015
【図１４】
2013001112.tif 000016
【図１５】
2013001112.tif 000017
【図１６】
2013001112.tif 000018
【図１７】
2013001112.tif 000019
【図１８】
2013001112.tif 000020